(57)【要約】【課題】  視野角特性を向上させたディスプレイパネル及びディスプレイ装置を提供する。【解決手段】  本発明の実施例に係るディスプレイ装置のディスプレイパネルは、上部基板と、上部基板に向かい合うように配置された下部基板と、上部基板と下部基板との間に充填された液晶層と、上部基板と液晶層との間に配置されて、光が液晶層を通過して上部基板に伝播する時に液晶層により発生する光の位相差を補償する位相差補償層と、を備えることを特徴とする。【選択図】      図２
2013214070.tif 000002
【特許請求の範囲】
【請求項１】
ディスプレイ装置のディスプレイパネルであって、
上部基板と、
前記上部基板に向かい合うように配置された下部基板と、
前記上部基板と前記下部基板との間に充填された液晶層と、
前記上部基板と前記液晶層との間に配置され、光が前記液晶層を通過して前記上部基板に伝播する時に前記液晶層により発生する前記光の位相差を補償する位相差補償層と、
を備えることを特徴とするディスプレイパネル。
【請求項２】
前記位相差補償層は、複屈折特性を持つ前記液晶層による光学位相差を相殺する負の位相差を有するように設けられて、前記液晶層を通過した前記光の位相差を補償することを特徴とする、請求項１に記載のディスプレイパネル。
【請求項３】
前記上部基板の光出射方向及び前記下部基板の光入射方向の少なくとも一方に積層され、入射光のうち、既に設定された偏光方向の光を透過させる偏光フィルムをさらに備えることを特徴とする、請求項１又は２に記載のディスプレイパネル。
【請求項４】
前記液晶層と前記下部基板との間、または前記上部基板と前記位相差補償層との間に配置され、前記液晶層の各ピクセルに対して所定カラーの光が出射するように入射光をフィルタリングするカラーフィルター層をさらに備えることを特徴とする、請求項１乃至３のいずれか一項に記載のディスプレイパネル。
【請求項５】
前記偏光フィルムは、
光を偏光させる偏光層と、
前記偏光層の光出射方向及び光入射方向のそれぞれに向かい合うように積層されて、前記偏光層を保護するＴＡＣ（ｔｒｉ-ａｃｅｔａｔｅ  ｃｅｌｌｕｌｏｓｅ）フィルムと、
を有することを特徴とする、請求項３に記載のディスプレイパネル。
【請求項６】
前記偏光フィルムは前記位相差補償層を有しないことを特徴とする、請求項３に記載のディスプレイパネル。
【請求項７】
前記上部基板と前記液晶層との間、及び前記下部基板と前記液晶層との間の少なくとも一方に形成され、入射光のうち、既に設定された偏光方向の光を透過させるように所定間隔のピッチで配列された線形格子を有する偏光層をさらに備えることを特徴とする、請求項１又は２に記載のディスプレイパネル。
【請求項８】
前記偏光層が前記上部基板と前記液晶層との間に形成された場合に、前記位相差補償層は、前記偏光層と前記液晶層との間に配置されたことを特徴とする、請求項７に記載のディスプレイパネル。
【請求項９】
前記液晶層と前記下部基板との間、または前記液晶層と前記上部基板との間に配置されて、前記液晶層の各ピクセルに対して所定カラーの光が出射するように入射光をフィルタリングするカラーフィルター層をさらに備えることを特徴とする、請求項７に記載のディスプレイパネル。
【請求項１０】
前記液晶層の各ピクセルは、複数のカラーにそれぞれ対応する複数のサブピクセルを有し、
前記上部基板と前記液晶層との間に形成された第１の偏光層、及び前記下部基板と前記液晶層との間に形成された第２の偏光層のいずれか一方は、前記複数のサブピクセルのそれぞれに対して各カラーの光を出射するように、前記ピッチ間隔が前記カラーの波長に対応するように設定されたことを特徴とする、請求項７に記載のディスプレイパネル。
【請求項１１】
請求項１乃至１０のいずれか一項に記載のディスプレイパネルと、
前記ディスプレイパネル上に映像が表示されるように前記ディスプレイパネルに光を提供するバックライトユニットと、
を備えることを特徴とするディスプレイ装置。
【請求項１２】
前記バックライトユニットは、
光を生成する光源部と、
前記光源部から発される光を前記ディスプレイパネルにガイドする導光板と、
前記導光板と前記ディスプレイパネルとの間に配置された光学シート類と、
を備えたことを特徴とする、請求項１１に記載のディスプレイ装置。
【請求項１３】
映像信号を受信する信号受信部と、
前記信号受信部に受信される前記映像信号に基づく映像が前記ディスプレイパネルに表示されるように、既に設定された映像処理プロセスによって前記映像信号を処理する信号処理部と、
をさらに備えることを特徴とする、請求項１１に記載のディスプレイ装置。
【発明の詳細な説明】
【技術分野】
【０００１】
本発明は、板面上に映像を表示するディスプレイパネル及びこれを有するディスプレイ装置に係り、特に、バックライトユニットから提供される光によって映像を表示する液晶方式のパネルにおいて視野角の補償構造を改善したディスプレイパネル及びこれを有するディスプレイ装置に関する。
【背景技術】
【０００２】
ディスプレイ装置は、映像を表示するディスプレイパネルを備えて、放送信号または様々なフォーマットの映像信号／映像データを表示する装置であり、その例にはＴＶ及びモニタなどがある。ディスプレイパネルは液晶パネル、プラズマパネルなどの種々の構成方式のものがあり、各種のディスプレイ装置に適宜適用されている。特に、パネル自体で光を生成しない液晶パネルがディスプレイパネルに適用される場合に、ディスプレイ装置は、光を生成してディスプレイパネルに供給するバックライトユニットを備える。
【０００３】
液晶方式のディスプレイパネルは、バックライトユニットから提供される光の特性を調整するように種々のフィルム（ｆｉｌｍ）層が積層されているが、パネルに入射する光が液晶層及びフィルム層を通過してパネルから出射する時点では光損失が発生する。特に、フィルム層には特定方向の偏光成分をフィルタリングする偏光フィルムがあり、該偏光フィルムが特定方向の偏光成分の光を吸収することから光の損失がより著しくなる。また、視野角によってコントラスト比（ｃｏｎｔｒａｓｔ  ｒａｔｉｏ）の変化及びグレースケール（ｇｒａｙ  ｓｃａｌｅ）の反転現象が起こり、視認性が低下することもあり、パネルの視野角を確保する構造は液晶方式のディスプレイパネルにおいて主な課題となっている。
【発明の概要】
【発明が解決しようとする課題】
【０００４】
本発明は上記の問題点に鑑みてなされたもので、その目的は、視野角特性を向上させたディスプレイパネル及びディスプレイ装置を提供することにある。
【課題を解決するための手段】
【０００５】
本発明の実施例に係るディスプレイ装置のディスプレイパネルは、上部基板と、前記上部基板に向かい合うように配置された下部基板と、前記上部基板と前記下部基板との間に充填された液晶層と、前記上部基板と前記液晶層との間に配置され、光が前記液晶層を通過して前記上部基板に伝播する時に前記液晶層により発生する前記光の位相差を補償する位相差補償層と、を備えることを特徴とする。
【０００６】
ここで、前記位相差補償層は、複屈折特性を持つ前記液晶層による光学位相差を相殺する負の位相差を有するように設けられて、前記液晶層を通過した前記光の位相差を補償してもよい。
【０００７】
ここで、前記ディスプレイパネルは、前記上部基板の光出射方向及び前記下部基板の光入射方向の少なくとも一方に積層され、入射光のうち、既に設定された偏光方向の光を透過させる偏光フィルムをさらに備えてもよい。
【０００８】
ここで、前記ディスプレイパネルは、前記液晶層と前記下部基板との間、または前記上部基板と前記位相差補償層との間に配置され、前記液晶層の各セルに対して所定カラーの光が出射するように入射光をフィルタリングするカラーフィルター層をさらに備えてもよい。
【０００９】
また、前記偏光フィルムは、光を偏光させる偏光層と、前記偏光層の光出射方向及び光入射方向のそれぞれに向かい合うように積層されて、前記偏光層を保護するＴＡＣ（ｔｒｉ-ａｃｅｔａｔｅ  ｃｅｌｌｕｌｏｓｅ）フィルムと、を有してもよい。前記偏光フィルムは前記位相差補償層を有しなくてもよい。
【００１０】
前記ディスプレイパネルは、前記上部基板と前記液晶層との間、及び前記下部基板と前記液晶層との間の少なくとも一方に形成され、入射光のうち、既に設定された偏光方向の光を透過させるように所定間隔のピッチで配列された線形格子を有する偏光層をさらに備えてもよい。
【００１１】
ここで、前記偏光層が前記上部基板と前記液晶層との間に形成された場合に、前記位相差補償層は、前記偏光層と前記液晶層との間に配置されていてもよい。
【００１２】
また、前記ディスプレイパネルは、前記液晶層と前記下部基板との間、または前記液晶層と前記上部基板との間に配置されて、前記液晶層の各ピクセルに対して所定カラーの光が出射するように入射光をフィルタリングするカラーフィルター層をさらに備えてもよい。
【００１３】
また、前記液晶層の各ピクセルは、複数のカラーにそれぞれ対応する複数のサブピクセルを有し、前記上部基板と前記液晶層との間に形成された第１の偏光層、及び前記下部基板と前記液晶層との間に形成された第２の偏光層のいずれか一方は、前記複数のサブピクセルのそれぞれに対して各カラー別光を出射するように、前記ピッチ間隔が前記カラーの波長に対応するように設定されてもよい。
【００１４】
また、本発明の他の実施例に係るディスプレイ装置は、ディスプレイパネルと、前記ディスプレイパネル上に映像が表示されるように前記ディスプレイパネルに光を提供するバックライトユニットと、を備え、該ディスプレイパネルは、上部基板と、前記上部基板に向かい合うように配置された下部基板と、前記上部基板と前記下部基板との間に充填された液晶層と、前記上部基板と前記液晶層との間に配置され、光が前記液晶層を通過して前記上部基板に伝播する時に前記液晶層により発生する前記光の位相差を補償する位相差補償層と、を備えることを特徴とする。
【００１５】
ここで、前記位相差補償層は、複屈折特性を持つ前記液晶層による光学位相差を相殺する負の位相差を有するように設けられて、前記液晶層を通過した前記光の位相差を補償してもよい。
【００１６】
ここで、前記ディスプレイパネルは、前記上部基板の光出射方向及び前記下部基板の光入射方向の少なくとも一方に積層され、入射光のうち、既に設定された偏光方向の光を透過させる偏光フィルムをさらに備えてもよい。
【００１７】
ここで、前記ディスプレイパネルは、前記液晶層と前記下部基板との間、または前記上部基板と前記位相差補償層との間に配置され、前記液晶層の各セルに対して所定カラーの光が出射するように入射光をフィルタリングするカラーフィルター層をさらに備えてもよい。
【００１８】
また、前記偏光フィルムは、光を偏光させる偏光層と、前記偏光層の光出射方向及び光入射方向のそれぞれに向かい合うように積層されて、前記偏光層を保護するＴＡＣフィルムと、を有してもよい。また、前記偏光フィルムは前記位相差補償層を有しなくてもよい。
【００１９】
また、前記ディスプレイパネルは、前記上部基板と前記液晶層との間、及び前記下部基板と前記液晶層との間の少なくとも一方に形成され、入射光のうち、既に設定された偏光方向の光を透過させるように所定間隔のピッチで配列された線形格子を有する偏光層をさらに備えてもよい。
【００２０】
ここで、前記偏光層が前記上部基板と前記液晶層との間に形成された場合に、前記位相差補償層は、前記偏光層と前記液晶層との間に配置されていてもよい。
【００２１】
また、前記ディスプレイパネルは、前記液晶層と前記下部基板との間、または前記液晶層と前記上部基板との間に配置されて、前記液晶層の各ピクセルに対して所定カラーの光が出射するように入射光をフィルタリングするカラーフィルター層をさらに備えてもよい。
【００２２】
また、前記液晶層の各ピクセルは、複数のカラーにそれぞれ対応する複数のサブピクセルを有し、前記上部基板と前記液晶層との間に形成された第１の偏光層、及び前記下部基板と前記液晶層との間に形成された第２の偏光層のいずれか一方は、前記複数のサブピクセルのそれぞれに対して各カラー別光を出射するように、前記ピッチ間隔が前記カラーの波長に対応するように設定されてもよい。
【００２３】
また、前記バックライトユニットは、光を生成する光源部と、前記光源部から発される光を前記ディスプレイパネルにガイドする導光板と、前記導光板と前記ディスプレイパネルとの間に配置された光学シート類と、を備えていてもよい。
【００２４】
また、前記ディスプレイ装置は、映像信号を受信する信号受信部と、前記信号受信部に受信される前記映像信号に基づく映像が前記ディスプレイパネルに表示されるように、既に設定された映像処理プロセスによって前記映像信号を処理する信号処理部と、をさらに備えてもよい。
【発明の効果】
【００２５】
本発明によれば、ディスプレイパネルの視野角を向上させることが可能になる。
【図面の簡単な説明】
【００２６】
【図１】本発明の第１の実施例に係るディスプレイ装置の分解斜視図である。
【図２】図１のディスプレイパネルの各構成要素の積層形態を示す断面図である。
【図３】図１のディスプレイパネルの位相差補償層を形成する方法を示す例示図である。
【図４】本発明の第２の実施例に係るディスプレイパネルの各構成要素の積層形態を示す断面図である。
【図５】図４のディスプレイパネルの下部偏光層の要部斜視図である。
【図６】図４のディスプレイパネルの各ピクセルに対するカラー別サブピクセルを示す例示図である。
【図７】図４のディスプレイパネルにカラー偏光層を使用しない場合に、図６の各サブピクセルに対応する下部偏光層の線形格子配置を示す例示図である。
【図８】図４のディスプレイパネルに位相差補償層を形成する方法を示す例示図である。
【図９】本発明の第３の実施例に係るディスプレイ装置の構成ブロック図である。
【発明を実施するための形態】
【００２７】
以下、添付の図面を参照して本発明について詳細に説明する。以下の実施例では、本発明の思想に直接関連している構成についてのみ説明し、それ以外の構成については説明を省略する。ただし、これら説明の省略された構成が、本発明の思想が適用された装置またはシステムを具現するにあたって不要であるということを意味するわけではない。
【００２８】
図１は、本発明の第１の実施例に係るディスプレイ装置１の分解斜視図である。図１に示すように、本実施例に係るディスプレイ装置１は、内部に収容空間を形成するカバー部１０，２０と、カバー部１０，２０により形成された収容空間に収容され、前面上に映像が表示されるディスプレイパネル３０と、ディスプレイパネル３０を駆動させるパネル駆動部４０と、カバー部１０，２０により形成された収容空間内においてディスプレイパネル３０の背面に向かい合うように配置されてディスプレイパネル３０に光を供給するバックライトユニット５０と、を備える。
【００２９】
まず、図１に示す各方向について説明する。Ｘ、Ｙ、Ｚ方向は基本的に、図面においてディスプレイパネル３０の横、縦、高さ方向をそれぞれ指す。同図で、ディスプレイパネル３０はＸ-Ｙ平面上に配置され、カバー部１０，２０、ディスプレイパネル３０及びバックライトユニット５０はＺ方向の軸線に沿って積層して配置されている。Ｘ、Ｙ、Ｚ方向の反対方向はそれぞれ−Ｘ、−Ｙ、−Ｚ方向で表し、Ｘ−Ｙ平面は、Ｘ方向の軸及びＹ方向の軸により形成される平面を意味する。
【００３０】
カバー部１０，２０は、ディスプレイ装置１の外形を形成し、内部に収容されたディスプレイパネル３０及びバックライトユニット５０を支持する。図面において、ディスプレイパネル３０を基準にＺ方向を前方／前面、−Ｚ方向を後方／後面と定義すると、カバー部１０，２０は、ディスプレイパネル３０の前方を支持する前方カバー１０と、バックライトユニット５０の後方を支持する後方カバー２０を有している。前方カバー１０はＸ−Ｙ平面と平行な板面上に、ディスプレイパネル３０の映像表示領域を外部に露出させる開口部を有する。
【００３１】
本実施例ではディスプレイパネル３０を液晶パネルとしている。液晶方式のディスプレイパネル３０は、２つの基板（図示せず）の間に液晶層（図示せず）が充填され、駆動信号の印加によって液晶層（図示せず）の配列が調整されることによって板面上に映像が表示される。ディスプレイパネル３０は独自で発光せず、映像表示領域に映像を表示するためにバックライトユニット５０から光を受光する。
【００３２】
パネル駆動部４０は、液晶層（図示せず）を駆動させるための駆動信号をディスプレイパネル３０に印加する。パネル駆動部４０は、ゲート駆動ＩＣ（ｉｎｔｅｇｒａｔｅｄ  ｃｉｒｃｕｉｔ）４１、データチップフィルムパッケージ４３、印刷回路基板４５と、を備える。
【００３３】
ゲート駆動ＩＣ  ４１は、ディスプレイパネル３０の基板（図示せず）上に集積され、ディスプレイパネル３０の各ゲート（ｇａｔｅ）ライン（図示せず）に接続する。データチップフィルムパッケージ４３は、ディスプレイパネル３０に形成された各データ（ｄａｔａ）ライン（図示せず）に接続することができる。ここで、データチップフィルムパッケージ４３は、半導体チップがベースフィルム上に形成された配線パターンとタブ（Ｔａｐｅ  Ａｕｔｏｍａｔｅｄ  Ｂｏｎｄｉｎｇ：ＴＡＢ）技術により接合されたタブテープ（ＴＡＢ  ｔａｐｅ）を有することができる。このようなチップフィルムパッケージとしては、例えば、テープキャリアパッケージ（Ｔａｐｅ  Ｃａｒｒｉｅｒ  Ｐａｃｋａｇｅ、ＴＣＰ）またはチップオンフィルム（Ｃｈｉｐ  Ｏｎ  Ｆｉｌｍ、ＣＯＦ）などを用いることができる。一方、印刷回路基板４５は、ゲート駆動ＩＣ ４１にゲート駆動信号を入力し、データチップフィルムパッケージ４３にデータ駆動信号を入力する。
【００３４】
このような構成により、パネル駆動部４０はディスプレイパネル３０の各ゲートライン（図示せず）及び各データライン（図示せず）に駆動信号をそれぞれ入力することによって、ピクセル単位に液晶層（図示せず）を駆動させる。
【００３５】
バックライトユニット５０は、ディスプレイパネル３０の背面に光を供給するようにディスプレイパネル３０の後方、すなわち、ディスプレイパネル３０の−Ｚ方向に配置される。バックライトユニット５０は、ディスプレイパネル３０のエッジ領域に配置された光源部５１と、ディスプレイパネル３０の背面に向かう合うようにディスプレイパネル３０に平行に配置された導光板５３と、導光板５３の下面に向かい合うように導光板５３の下側に配置された反射板５５と、ディスプレイパネル３０及び導光板５３に挟持された１種以上の光学シート５７と、を備える。
【００３６】
本実施例では、光源部５１が導光板５３の側方に配置され、光源部５１の光照射方向と導光板５３の光出射方向とが直交するエッジ型のバックライトユニット５０の構成を採用している。しかし、バックライトユニット５０は本実施例に限定されず、様々に設計変更可能である。例えば、バックライトユニット５０は、光源部５１が導光板５３の下方に配置され、光源部５１の光照射方向と導光板５３の光出射方向とが平行となる直下型の構成にしてもよい。
【００３７】
光源部５１は光を生成し、生成した光を導光板５３に入射させる。光源部５１は、ディスプレイパネル３０の板面、すなわち、Ｘ−Ｙ平面に対して起立するように配置され、ディスプレイパネル３０または導光板５３の４エッジのうち少なくとも一つに沿って配置される。光源部５１は、Ｘ方向に沿って延びたモジュール基板（図示せず）上に、ＬＥＤ（ｌｉｇｈｔ−ｅｍｉｔｔｉｎｇ  ｄｉｏｄｅ）などの発光素子（図示せず）が順次に配置されてなる。
【００３８】
導光板５３は、アクリル射出物などからなるプラスチックレンズであり、光源部５１から入射する光をディスプレイパネル３０の全体映像表示領域へ均一にガイドする。導光板５３は、−Ｚ方向における下面が反射板５５に向かい合っており、上面及び下面とをつなぐ導光板５３の４方向の側壁のうち、Ｙ方向及び−Ｙ方向の側壁が光源部５１に向かい合っている。これらの導光板５３のＹ方向及び−Ｙ方向の側壁に光源部５１からの照射光が入射する。
【００３９】
導光板５３は、下面上に形成されて、導光板５３内を伝播する光を乱反射させたり、または光の進行方向を切り替える様々な光学パターンを有し、これにより、導光板５３から出射する光の分布を均一にすることができる。
【００４０】
反射板５５は、導光板５３の下側において、導光板５３の内側から外側に出る光を反射して再び導光板５３内に入射させる。反射板５５は、導光板５３の下面に形成された光学パターンにより反射されなかった光を再び導光板５３内に反射する。そのために、反射板５５のＺ方向における板面は全反射特性を有する。
【００４１】
光学シート５７は、１種以上が導光板５３上に積層されて、導光板５３から出射する光の光特性を調節する。光学シート５７としては、拡散シート、プリズムシート、保護シート、ＤＢＥＦ（Ｄｕａｌ  Ｂｒｉｇｈｔｎｅｓｓ  Ｅｎｈａｎｃｅｍｅｎｔ  Ｆｉｌｍ）シートなどを含むことができ、調節しようとする光特性の最終結果を考慮して２種以上のシートを組み合わせて積層してもよい。
【００４２】
以下、本実施例に係るディスプレイパネル１００の具体的な構成について、図２を参照して説明する。図２は、ディスプレイパネル１００の各構成要素の積層形態を示す断面図である。同図のディスプレイパネル１００は、図１に示したディスプレイパネル３０と実質的に同じ構成を有し、図１のディスプレイ装置１に適用可能である。
【００４３】
図２に示すように、バックライトユニット５０（図１参照）からＺ方向に発された光はディスプレイパネル１００に入射し、ディスプレイパネル１００を構成する種々の構成要素を通過してＺ方向に出射する。以下の説明でいう上部及び下部は、光の進行方向であるＺ方向に沿う相対的な配置または積層の関係を示す表現である。
【００４４】
ディスプレイパネル１００は、上部基板１１０と、上部基板１１０に向かい合うように配置された下部基板１２０と、上部基板１１０及び下部基板１２０間に充填された液晶層１３０と、液晶層１３０及び下部基板１２０間に挟持されたカラーフィルター層１４０と、上部基板１１０の上側方向及び下部基板１２０の下側方向にそれぞれ積層された偏光フィルム１５０，１６０と、上側の偏光フィルム１６０上に積層された反射抑制フィルム１７０と、を備える。
【００４５】
以下、ディスプレイパネル１００を構成する各構成要素について具体的に説明する。
【００４６】
上部基板１１０及び下部基板１２０は、光の進行方向に所定の間隔をおいて向かい合って配置された透明基板である。上部基板１１０及び下部基板１２０にはガラス（ｇｌａｓｓ）材質またはプラスチック材質の基板を用い、プラスチック基板とする場合には、ＰＣ（ｐｏｌｙｃａｒｂｏｎａｔｅ）、ＰＩ（ｐｏｌｙｉｍｉｄｅ）、ＰＥＳ（ｐｏｌｙｅｔｈｅｒｓｕｌｐｈｏｎｅ）、ＰＡＲ（ｐｏｌｙａｃｒｙｌａｔｅ）、ＰＥＮ（ｐｏｌｙｅｔｈｙｌｅｎｅｎａｐｈｔｈｅｌａｔｅ）、ＰＥＴ（ｐｏｌｙｅｔｈｙｌｅｎｅｔｅｒｅｐｈｅｈａｌａｔｅ）などの材質を用いることができる。
【００４７】
上部基板１１０及び下部基板１２０は、液晶層１３０の駆動方式によって異なる特性が要求される。例えば、液晶層１３０の駆動方式がパッシブマトリックス（ｐａｓｓｉｖｅ  ｍａｔｒｉｘ）方式の場合にはソーダ石灰ガラス（ｓｏｄａ  ｌｉｍｅ  ｇｌａｓｓ）を用い、アクティブマトリックス（ａｃｔｉｖｅ  ｍａｔｒｉｘ）方式の場合には無アルカリガラス（ａｌｋａｌｉ  ｆｒｅｅ  ｇｌａｓｓ）及びホウケイ酸ガラス（ｂｏｒｏｓｉｌｉｃａｔｅ  ｇｌａｓｓ）を用いることができる。
【００４８】
液晶層１３０は、上部基板１１０と下部基板１２０との間に配置され、印加される駆動信号によって液晶の配列が変化することから光透過を調節する。ここで、上部基板１１０と液晶層１３０との間、または下部基板１２０と液晶層１３０との間には、駆動信号を伝達するための導電性のＩＴＯ（ｉｎｄｉｕｍ  ｔｉｎ  ｏｘｉｄｅ）またはＩＺＯ（ｉｎｄｉｕｍ  ｚｉｎ  ｃｏｘｉｄｅ）などの透明材質を含む電極層（図示せず）が形成されてもよい。
【００４９】
一般の液体は分子の方向及び配列に規則性がないが、液晶は、ある程度の規則性を持つ液体相（ｌｉｑｕｉｄ  ｐｈａｓｅ）に似ている。例えば、加熱して溶かすと複屈折などの異方性を示す液体相になる固体がある。液晶は、複屈折や色の変化のような光学的特徴を有する。規則性は結晶（ｃｒｙｓｔａｌ）の性質であり、物質の相は液体（ｌｉｑｕｉｄ）に似ていることから因んで液晶（ｌｉｑｕｉｄ  ｃｒｙｓｔａｌ）と呼んでいる。このような液晶に電圧が印加されると分子の配列が変化し、結果として光学的性質が変わる。
【００５０】
液晶層１３０の液晶は、分子配列によって、ネマチック（ｎｅｍａｔｉｃ）、コレステリック（ｃｈｏｌｅｓｔｅｒｉｃ）、スメクチック（ｓｍｅｃｔｉｃ）、強誘電性の液晶に分類することができる。
【００５１】
カラーフィルター層１４０は、液晶層１３０と下部基板１２０との間に配置されて、液晶層１３０の各セルに所定カラーの光が出射するように入射光をフィルタリングする。カラーフィルター層１４０は、ディスプレイパネル１００に入射する光をＲＧＢカラーに変換して液晶層１３０に伝達する。液晶層１３０のピクセルは、ＲＧＢカラーのそれぞれに対応するサブピクセルを有し、カラーフィルター層１４０は各サブピクセルに対してカラー別フィルタリングを行う。そのため、光が各サブピクセルを通過する時に、カラーフィルター層１４０によりサブピクセル別に異なったカラーの光が出射する。
【００５２】
一方、本実施例では、カラーフィルター層１４０が下部基板１２０側に配置されているとしたが、カラーフィルター層１４０の配置はこれに限定されず、上部基板１１０側に配置されてもよい。例えば、カラーフィルター層１４０は、上部基板１１０と後述の位相差補償層１８０との間に配置されてもよい。
【００５３】
偏光フィルム１５０，１６０は、非偏光された光を特定方向に偏光された光に変化させる。すなわち、入射光のうち特定方向に振動する光のみ透過させ、それ以外の方向に振動する光は吸収される。偏光フィルム１５０，１６０は、入射光の偏光軸回転度合によって透過させる光の強度を調節し、グレースケールの表現を可能にすることで、ディスプレイパネル１００上の映像を視認可能にさせる。
【００５４】
本実施例では、偏光フィルム１５０，１６０が上部基板１１０の上側及び下部基板１２０の下側にそれぞれ積層されているとしたが、偏光フィルム１５０，１６０は設計方式によっていずれか一方の側にのみ設けられてもよい。偏光フィルム１５０，１６０は、光を偏光させる偏光層１５１，１６１と、偏光層１５１，１６１の光出射方向及び光入射方向のそれぞれに互いに向き合うように積層されたＴＡＣ（ｔｒｉ−ａｃｅｔａｔｅ  ｃｅｌｌｕｌｏｓｅ）フィルムと、を有する。
【００５５】
偏光層１５１，１６１は、入射光を相互直交する２つの偏光方向を持つ光に区分し、各偏光方向の光をそれぞれ透過または吸収する。偏光層１５１，１６１は、ＰＶＡ（ｐｏｌｙｖｉｎｙｌ  ａｌｃｈｏｈｌ）フィルムからなり、例えば、ＰＶＡフィルムを一軸に延伸（ｓｔｒｅｔｃｈｉｎｇ）して高分子鎖を延伸方向に培養させ、延伸されたＰＶＡフィルムに異色性を持つヨード分子または異色性の染料分子を染着させて延伸方向に並んで配列させることで、偏光機能を持たせる。異色性を持つヨード分子及び染料分子は延伸方向と平行に配列されて、延伸方向に振動する光を透過させる役割を果たす。
【００５６】
ＴＡＣフィルム１５３，１６３は、偏光層１５１，１６１の上側及び下側に積層されて偏光層１５１，１６１を保護する。ＴＡＣフィルム１５３、１６３の表面には、ディスプレイパネル１００の要求特性に応じて散乱、硬度強化、無反射、低反射などの特性を持つ表面処理をさらに行うことができる。
【００５７】
反射抑制フィルム１７０は、ディスプレイパネル１００の最上層に積層される。反射抑制フィルム１７０は表面反射光を乱反射させることによって、外光による表面反射を減少させる。反射抑制フィルム１７０には防幻（ａｎｔｉ−ｇｌａｒｅ）フィルムまたは反射防止（ａｎｔｉ−ｒｅｆｌｅｃｔｉｏｎ）フィルムを用いることができる。または、ディスプレイパネル１００に反射抑制フィルム１７０を適用せず、ＴＡＣフィルム１６３上にシリコン粒子を撒いて乱反射処理を行ってもよい。
【００５８】
このようなディスプレイパネル１００の構造下で、バックライトユニット５０（図１参照）からの光はディスプレイパネル１００に入射した後、偏光フィルム１５０，１６０、液晶層１３０を通過しながら光の偏光特性が変化され、ディスプレイパネル１００から出射する。
【００５９】
しかるに、液晶は光学的に常屈折率（ｏｒｄｉｎａｒｙ  ｒｅｆｌｅｃｔｉｖｅ  ｉｎｄｅｘ）及び異常屈折率（ｅｘｔｒａ−ｏｒｄｉｎａｒｙ  ｒｅｆｒａｃｔｉｖｅ  ｉｎｄｅｘ）といった２種の屈折率を持つ異方性物質であるから、入射光の入射角度によって光の経路及び複屈折率が変化する。そのため、ディスプレイパネル１００は、視野角によって、相がどれくらい明確に見えるかの目安となるコントラスト比（ｃｏｎｔｒａｓｔ  ｒａｔｉｏ）の変化及び階調反転（ｇｒａｙ  ｓｃａｌｅ  ｉｎｖｅｒｓｉｏｎ）が起こり、視認性が低下することがある。
【００６０】
特に、液晶がＴＮ（ｔｗｉｓｔｅｄ  ｎｅｍａｔｉｃ）セルの場合は、９０°の角度で液晶の配列が捩じられた構造となり、必然的に上下視野角が狭くなる。ディスプレイパネル１００の入射光が偏光フィルム１５０で線形偏光して光学的異方性を持つ液晶層１３０を通過するとき、液晶セルを垂直に通過する場合と斜めに通過する場合のそれぞれに対して位相遅延（ｒｅｔａｒｄａｔｉｏｎ）値が互いに異なってくる。そのため、ディスプレイパネル１００から出射する光の位相差が発生し、視野角による透過光の特性が異なってくる。
【００６１】
そこで、本実施例に係るディスプレイパネル１００は、上部基板１１０と液晶層１３０の間に配置されて、液晶層１３０を通過して上部基板１１０に伝播される光の位相差を補償する位相差補償層（ｒｅｔａｒｄａｔｉｏｎ  ｌａｙｅｒ）１８０を備える。これにより、ディスプレイパネル１００の視野角を改善することができる。
【００６２】
具体的に、位相差補償層１８０は、複屈折特性を持つ液晶層１３０による光学位相差を相殺するように、液晶層１３０の液晶特性による位相差値を打ち消す負の位相差を有し、これにより、液晶層１３０を通過した光の位相差を補償することができる。
【００６３】
ここで、位相差補償層１８０が液晶層１３０よりも下側に配置されると、液晶層１３０による光の位相差を補償することができない。一方、位相差補償層１８０が液晶層１３０の上側に配置される場合、例えば、偏光フィルム１６０に含まれる場合には、液晶層１３０を通過した光が上部基板１１０を通過して所定距離伝播された後であるため、位相差補償時に誤差が相対的に大きくなることがある。
【００６４】
したがって、位相差補償層１８０は上部基板１１０と液晶層１３０との間に挟持されて、液晶層１３０による光学位相差を相対的に高精度に補償することができる。なお、位相差補償層１８０が上部基板１１０と液晶層１３０との間に配置されると、ディスプレイパネル１００の製造時に、上部基板１１０と下部基板１２０との間に液晶層１３０を充填する段階に先立って、上部基板１１０の板面上に位相差補償層１８０を形成することができる。こうすると、位相差補償層１８０が上部基板１１０と下部基板１２０との間に配置されない場合に比べてより製造工程を簡易にすることができる。
【００６５】
図３は、本実施例に係る位相差補償層１８０の形成方法を示す例示図である。図３に示すように、上部基板１１０及び下部基板１２０間に液晶層１３０を充填するに先立ち、上部基板１１０の板面上にＩＴＯなどで電極層１１１を形成し、電極層１１１上にポリマーなどを蒸着して位相差補償層１８０が形成されるように処理する。ここで、電極層１１１及び位相差補償層１８０が形成される上部基板１１０の板面は、ディスプレイパネル１００において下部基板１２０と向かい合う面である。
【００６６】
続いて、位相差補償層１８０上にポリイミド（ｐｏｌｙｉｍｉｄｅ）のような配向材料を塗布して配向膜（ａｌｉｇｎｍｅｎｔ  ｌａｙｅｒ）１１３を形成し蒸着する。ここで、配向膜処理により、上部基板１１０と下部基板１２０との間の液晶層１３０を均一な液晶分子の配列状態にすることができる。配向膜１１３が形成されると、ローラーＲまたは布を使って一方向に配向膜１１３をこするラビング（ｒｕｂｂｉｎｇ）工程を行う。ラビング工程により配向膜１１３は一定厚さの高分子薄膜となる。
【００６７】
下部基板１２０については、位相差補償層１８０以外は、上部基板１１０と類似の工程を行う。以降、上部基板１１０と下部基板１２０との間に液晶を充填することで、配向膜１１３により液晶分子が一方向に均一に配列された液晶層１３０が形成される。また、ローラーＲが物理的に配向膜１１３に接触するラビング工程に代えて、非接触方式である紫外線（ＵＶ）照射を用いて配向を行ってもよい。
【００６８】
以上の方法により、上部基板１１０と液晶層１３０との間に位相差補償層１８０を形成することができる。
【００６９】
以下、第２の実施例に係るディスプレイパネル３００の具体的な構成について、図４を参照して説明する。図４は、本実施例に係るディスプレイパネル３００の各構成要素の積層形態を示す断面図である。同図のディスプレイパネル３００も、図１のディスプレイ装置１に適用可能である。
【００７０】
図４に示すように、バックライトユニット５０（図１参照）からＺ方向に発された光は、ディスプレイパネル３００に入射し、ディスプレイパネル３００を構成する様々な構成要素を通過してＺ方向に出射する。
【００７１】
ディスプレイパネル３００は、上部基板３１０と、上部基板３１０に向かい合うように配置された下部基板３２０と、上部基板３１０と下部基板３２０との間に充填された液晶層３３０と、液晶層３３０と下部基板３２０との間に挟持されたカラーフィルター層３５０と、下部基板３２０の上側に積層された下部偏光層３６０と、上部基板３１０の下側に積層された上部偏光層３７０と、上部基板３１０及び下部基板３２０の外側にそれぞれ積層された保護フィルム３８０と、上側の保護フィルム３８０上に積層された反射抑制フィルム３９０と、を備える。
【００７２】
以下、ディスプレイパネル３００を構成する各構成要素について具体的に説明する。上部基板３１０及び下部基板３２０は、光の進行方向に所定間隔をおいて向かい合って配置された透明基板である。上部基板３１０及び下部基板３２０にはガラス材質またはプラスチック材質の基板を用い、プラスチック基板とする場合には、ポリカーボネート、ＰＩ、ＰＥＳ、ＰＡＲ、ＰＥＮ、ＰＥＴなどの材質を用いることができる。
【００７３】
上部基板３１０及び下部基板３２０は、液晶層３３０の駆動方式によって異なった特性が要求される。例えば、液晶層３３０の駆動方式がパッシブマトリックス方式の場合には、ソーダ石灰ガラスを用い、アクティブマトリックス方式の場合には、無アルカリガラス及びホウケイ酸ガラスを用いることができる。
【００７４】
液晶層３３０は、上部基板３１０と下部基板３２０との間に配置され、印加される駆動信号によって液晶の配列が変化することから光透過を調節する。一般の液体は分子の方向及び配列に規則性がないが、液晶は、ある程度の規則性を持つ液体相に似ている。例えば、加熱して溶かすと複屈折などの異方性を示す液体相になる固体がある。液晶は、複屈折や色の変化のような光学的特徴を有する。規則性は結晶の性質であり、物質の相は液体に似ていることから因んで液晶と呼んでいる。このような液晶に電圧が印加されると分子の配列が変化し、結果として光学的性質が変わる。液晶層３３０の液晶は、分子配列によって、ネマチック、コレステリック、スメクチック、強誘電性の液晶に分類することができる。
【００７５】
カラーフィルター層３５０は、液晶層３３０と下部基板３２０との間に配置されて、液晶層３３０の各セルに所定カラーの光が出射するように入射光をフィルタリングする。カラーフィルター層３５０は、ディスプレイパネル３００に入射する光をＲＧＢカラーに変換して液晶層３３０に伝達する。液晶層３３０のピクセルはＲＧＢカラーのそれぞれに対応するサブピクセルを有し、カラーフィルター層３５０は各サブピクセルに対してカラー別フィルタリングを行う。そのため、光が各サブピクセルを通過する時に、カラーフィルター層３５０によりサブピクセル別に異なったカラーの光が出射する。
【００７６】
一方、本実施例では、カラーフィルター層３５０が下部基板３２０側に配置されているとしたが、カラーフィルター層３５０の配置はこれに限定されず、上部基板３１０側に配置されてもよい。例えば、カラーフィルター層３５０は、上部偏光層３７０と後述の位相差補償層４００との間に配置されてもよい。
【００７７】
下部偏光層３６０は下部基板３２０とカラーフィルター層３５０との間に配置され、上部偏光層３７０は上部基板３１０と液晶層３３０との間に配置されている。下部偏光層３６０及び上部偏光層３７０は、入射光のうち、既に設定された偏光方向の光を透過させるように設けられ、そのために、所定間隔のピッチ（ｐｉｔｃｈ）で配列された線形格子を有する。下部偏光層３６０及び上部偏光層３７０の詳細な構成については後述する。
【００７８】
本実施例では、上部基板３１０と下部基板３２０との間において液晶層３３０の上下に上部偏光層３７０及び下部偏光層３６０がそれぞれ形成されているとしたが、ディスプレイパネル３００の設計方式によって下部偏光層３６０及び上部偏光層３７０のいずれか一方のみ設けられてもよい。
【００７９】
保護フィルム３８０は、上部基板３１０の上側及び下部基板３２０の下側、すなわち上部基板３１０及び下部基板３２０の外側を覆うことによって上部基板３１０及び下部基板３２０を保護する。
【００８０】
反射抑制フィルム３９０は、ディスプレイパネル３００の最上層に積層されている。反射抑制フィルム３９０は表面反射光を乱反射させることによって、外光による表面反射を減少させる。反射抑制フィルム３９０には防幻フィルムまたは反射防止フィルムを用いることができる。または、ディスプレイパネル３００に反射抑制フィルム３９０を適用せずに、保護フィルム３８０上にシリコン粒子を撒いて乱反射処理を行ってもよい。
【００８１】
以下、下部偏光層３６０の構造について図５を参照して説明する。図５は、下部偏光層３６０の要部斜視図である。図５に示すように、下部偏光層３６０は、下部基板３２０上に、既に設定方向に配列されたバー（ｂａｒ）状の線形格子３６１を有する。線形格子３６１は、既に設定された高さＨ、幅Ｗ及びピッチＰで周期的に配列されている。
【００８２】
線形格子３６１のピッチＰを光の波長の１／２以下に調節すると回折波が形成されず、透過光及び反射光のみ存在する。入射光がスリット（ｓｌｉｔ）状の線形格子３６１を通過しながら、線形格子３６１に垂直な第１の偏光成分は下部基板３２０を透過し、線形格子３６１に平行な第２の偏光成分は反射される。すなわち、下部偏光層３６０を通過する光は特定方向に偏光する。
【００８３】
下部偏光層３６０は、下部基板３２０上に金属層を蒸着し、ナノインプリントリソグラフィ（ｎａｎｏ  ｉｍｐｒｉｎｔ  ｌｉｔｈｏｇｒａｐｙ、ＮＩＬ）のような工程で格子をパターニングすることによって形成され、これにより、入射光の偏光が格子に平行な場合には反射され、格子に垂直な場合には透過する。
【００８４】
下部偏光層３６０を通過せずに反射される光は下部偏光層３６０に吸収されず、再びディスプレイパネル３００に再反射される。すなわち、ディスプレイパネル３００に下部偏光層３６０を適用すると、ＤＢＥＦフィルムのような光学シート５７（図１参照）を省いても、全体的な光効率を向上させることができる。
【００８５】
上部偏光層３７０にも下部偏光層３６０と同じ原理が適用される。上部偏光層３７０は、上部基板３１０の一面に下部偏光層３６０と類似の方法で線形格子（図示せず）が形成され、よって、下部偏光層３６０と同じ原理で特定方向の偏光成分の光のみを透過させる。
【００８６】
上部偏光層３７０及び下部偏光層３６０の偏光方向は互いに同一でも異なってもよく、これはディスプレイパネル３００の設計に当たって適宜変更可能である。ディスプレイパネル３００は、配向方向によって液晶層３３０の液晶の状態を調節し、液晶層３３０への電圧印加の有無によって光の透過及び遮断を設定し得るので、上部偏光層３７０及び下部偏光層３６０の偏光方向が必ずしも互いに垂直である必要はない。
【００８７】
ただし、下部偏光層３６０で反射された光は再びディスプレイパネル３００に入射するが、上部偏光層３７０は液晶層３３０上に位置しているため、下部偏光層３６０のように反射率の高い材質を用いると、反射された光が液晶層３３０へ伝播する。そのため、上部偏光層３７０は、下部偏光層３６０と違い、反射率が低く、光吸収率が高いことが好ましい。
【００８８】
図４に示すように、このようなディスプレイパネル３００の構造下で、バックライトユニット５０（図１参照）から発された光は、ディスプレイパネル３００に入射した後、下部基板３２０、下部偏光層３６０、液晶層３３０、上部偏光層３７０、上部基板３１０を通過してディスプレイパネル３００から出射する。
【００８９】
しかるに、液晶は光学的に常屈折率（ｏｒｄｉｎａｒｙ  ｒｅｆｌｅｃｔｉｖｅ  ｉｎｄｅｘ）及び異常屈折率（ｅｘｔｒａ−ｏｒｄｉｎａｒｙ  ｒｅｆｒａｃｔｉｖｅ  ｉｎｄｅｘ）といった２種の屈折率を持つ異方性物質であるから、入射光の入射角度によって光の経路及び複屈折率が変化する。そのため、ディスプレイパネル１００は、視野角によって、相がどれくらい明確に見えるかの目安となるコントラスト比の変化及び階調反転が起こり、視認性が低下することがある。
【００９０】
特に、液晶がＴＮセルの場合は、９０°の角度で液晶の配列が捩じられた構造となり、必然的に上下視野角が狭くなる。ディスプレイパネル３００の入射光が下部偏光層３６０で偏光して光学的異方性を持つ液晶層３３０を通過するとき、液晶セルを垂直に通過する場合と斜めに通過する場合のそれぞれに対して位相遅延値が互いに異なってくる。そのため、ディスプレイパネル３００から出射する光の位相差が発生し、視野角による透過光の特性が異なってくる。
【００９１】
そこで、本実施例に係るディスプレイパネル３００は、上部基板３１０及び液晶層３３０との間に配置されて、液晶層３３０を通過して上部基板３１０に伝播される光の位相差を補償する位相差補償層４００を備える。これにより、ディスプレイパネル３００の視野角を改善することができる。
【００９２】
具体的に、位相差補償層４００は、複屈折特性を持つ液晶層３３０による光学位相差を相殺するように、液晶層３３０の液晶特性による位相差値を打ち消す負の位相差を有し、これにより、液晶層３３０を通過した光の位相差を補償することができる。
【００９３】
ここで、位相差補償層４００が液晶層３３０よりも下側に配置されると、液晶層３３０による光の位相差を補償することができない。位相差補償層４００が上部基板３１０と上部偏光層３７０との間に挟持される場合には、液晶層３３０を通過した光が再び上部偏光層３７０で偏光するため、位相差補償の精密度が低下することがある。
【００９４】
したがって、位相差補償層４００は上部偏光層３７０と液晶層３３０との間に挟持されて、液晶層３３０による光学位相差を相対的に精密に補償することができる。また、位相差補償層４００が上部基板３１０の内側に形成されると、ディスプレイパネル３００の製造時に、上部基板３１０及び下部基板３２０間に液晶層３３０を充填する段階に先立って、上部基板３１０の板面上に位相差補償層４００を形成することができる。こうすると、位相差補償層４００が上部基板３１０と下部基板３２０との間に配置されない場合に比べてより製造工程を簡易にさせることができる。
【００９５】
一方、上記の実施例ではディスプレイパネル３００がカラーフィルター層３５０を有する構成について説明したが、下部偏光層３６０の具現方式によって、ディスプレイパネル３００からカラーフィルター層３５０を省く構成も可能である。この場合、下部偏光層３６０がカラーフィルター層３５０の役割を兼ねる。
【００９６】
図６は、液晶層３３０における各ピクセル５１０のカラー別サブピクセル５１１，５１３，５１５を示す例示図である。図６に示すように、ピクセル５１０は、ＲＧＢの３カラーにそれぞれ対応する３個のサブピクセル５１１，５１３，５１５を有する。すなわち、ピクセル５１０は、レッド（ｒｅｄ）カラーの光出射領域に対応するレッドサブピクセル５１１と、グリーン（ｇｒｅｅｎ）カラーの光出射領域に対応するグリーンサブピクセル５１３と、ブルー（ｂｌｕｅ）カラーの光出射領域に対応するブルーサブピクセル５１５を有する。
【００９７】
下部偏光層３６０の線形格子３６１は、このような各サブピクセル５１１，５１３，５１５に対応して異なったピッチを有するように形成される。
【００９８】
図７は、図６の各サブピクセル５１１，５１３，５１５に対応する下部偏光層３６０の線形格子３６１Ｒ，３６１Ｇ，３６１Ｂを示す例示図である。図７に示すように、下部偏光層３６０は、レッドサブピクセル５１１の対応領域に形成されたレッド線形格子３６１Ｒと、グリーンサブピクセル５１３の対応領域に形成されたグリーン線形格子３６１Ｇと、ブルーサブピクセル５１５の対応領域に形成されたブルー線形格子３６１Ｂとを有する。
【００９９】
各カラー別線形格子３６１Ｒ，３６１Ｇ，３６１ＢのピッチＰ１，Ｐ２，Ｐ３は、該当のカラーに対応する間隔を有するように設定される。例えば、レッド線形格子３６１ＲのピッチＰ１は赤色光波長の１／２よりも小さく、グリーン線形格子３６１ＧのピッチＰ２は緑色光波長の１／２よりも小さく、ブルー線形格子３６１ＢのピッチＰ３は青色光波長の１／２よりも小さくなるように配列される。このように、サブピクセル５１１，５１３，５１５別に線形格子３６１Ｒ，３６１Ｇ，３６１Ｂのピッチを異なるように設定することによって、入射光の波長を調節してサブピクセル５１１，５１３，５１５ごとに異なったカラーの光を出射させることができる。
【０１００】
レッド線形格子３６１ＲのピッチＰ１は、赤色光波長の１／２よりも小さい約３３０〜３９０ｎｍであり、入射光はレッド線形格子３６１Ｒを通過しながら所定の第１の偏光成分を持つ赤色光に分光される。グリーン線形格子３６１ＧのピッチＰ２は約２５０〜２９０ｎｍに、ブルー線形格子３６１ＢのピッチＰ３は約２２０〜２４０ｎｍに設定される。すなわち、線形格子３６１Ｒ，３６１Ｇ，３６１ＢのピッチＰ１，Ｐ２，Ｐ３は、Ｒ、Ｇ、Ｂの順に小さくなる。ただし、このような数値関係は例示に過ぎず、特定の数値に本発明の思想が限定されることはない。
【０１０１】
図８は、本実施例に係る位相差補償層４００の形成方法を示す例示図である。図８に示すように、上部基板３１０及び下部基板３２０間に液晶層３３０を充填するに先立ち、上部基板３１０の板面上に電極層３４０を形成し、電極層３４０上に上部偏光層３７０を形成する。上部偏光層３７０は、上部基板３１０及び電極層３４０上に金属層をスパッタリング（ｓｐｕｔｔｅｒｉｎｇ）方式で積層し、蒸着、マスク、露光、現像及びエッチングのようなパターニング工程を経て形成することができる。
【０１０２】
次に、上部偏光層３７０上に平坦化層を形成した後、その上にポリマーなどを蒸着して位相差補償層４００を形成する。位相差補償層４００上にポリイミド（ｐｏｌｙｉｍｉｄｅ）のような配向材料を塗布して配向膜（ａｌｉｇｎｍｅｎｔ  ｌａｙｅｒ）３１３を形成し蒸着する。ここで、配向膜処理により、上部基板３１０及び下部基板３２０間の液晶層３３０を均一な液晶分子の配列状態にすることができる。
【０１０３】
配向膜３１３が形成されると、ローラーＲまたは布を使って一方向に配向膜３１３をこするラビング工程を行う。ラビング工程により配向膜３１３は一定厚さの高分子薄膜となる。上部基板３１０の処理段階と類似の工程で下部基板３２０を処理し、上部基板３１０と下部基板３２０との間に液晶を充填する。これで、配向膜３１３により液晶分子が一方向に均一に配列された液晶層３３０が形成される。また、ローラーＲが物理的に配向膜３１３に接触するラビング工程に代えて、非接触方式である紫外線（ＵＶ）照射を用いて配向を行ってもよい。
【０１０４】
以上の方法により、上部基板３１０と液晶層３３０との間に位相差補償層４００を形成することができる。
【０１０５】
以下、本発明の第３の実施例に係るディスプレイ装置９００の構成を、図９を参照して説明する。図９は、本実施例に係るディスプレイ装置９００の構成ブロック図である。図９に示すように、ディスプレイ装置９００は、映像信号を受信する信号受信部９１０と、信号受信部９１０に受信された映像信号を、既に設定された映像処理プロセスによって処理する信号処理部９２０と、信号処理部９２０で処理された映像信号に対応して駆動信号を出力するパネル駆動部９３０と、パネル駆動部９３０からの駆動信号に応じて映像信号に基づく映像を表示するディスプレイパネル９４０と、信号処理部９２０により処理された映像信号に対応してディスプレイパネル９４０に光を供給するバックライトユニット９５０と、を備える。
【０１０６】
本実施例のディスプレイ装置９００は、ＴＶ、モニタ、携帯用メディアプレーヤー、携帯電話などを含め、映像表示可能な種々の方式の装置にすることができる。
【０１０７】
信号受信部９１０は、映像信号／映像データを受信して信号処理部９２０に伝達する。信号受信部９１０は、受信する映像信号の規格及びディスプレイ装置９００の具現形態に対応して種々に構成することができる。例えば、信号受信部９１０は、放送局（図示せず）から送出されるＲＦ（ｒａｄｉｏ  ｆｒｅｑｕｅｎｃｙ）信号を無線で受信したり、コンポジット（ｃｏｍｐｏｓｉｔｅ）ビデオ、コンポーネント（ｃｏｍｐｏｎｅｎｔ）ビデオ、スーパービデオ（ｓｕｐｅｒ  ｖｉｄｅｏ）、ＳＣＡＲＴ、ＨＤＭＩ（登録商標：ｈｉｇｈ  ｄｅｆｉｎｉｔｉｏｎ  ｍｕｌｔｉｍｅｄｉａ  ｉｎｔｅｒｆａｃｅ）、ディスプレイポート（Ｄｉｓｐｌａｙ  Ｐｏｒｔ）、ＵＤＩ（ｕｎｉｆｉｅｄ  ｄｉｓｐｌａｙ  ｉｎｔｅｒｆａｃｅ）、またはワイヤレス（ｗｉｒｅｌｅｓｓ  ＨＤ）規格などに基づく映像信号を有線で受信することができる。信号受信部９１０は、映像信号が放送信号の場合に、その放送信号をチャンネル別にチューニングするチューナーを備える。または、信号受信部９１０はネットワークを用いてサーバー（図示せず）から映像データパケットを受信することもできる。
【０１０８】
信号処理部９２０は、信号受信部９１０に受信される映像信号に様々な映像処理プロセスを行い、処理した映像信号をパネル駆動部９３０に出力することによって、ディスプレイパネル９４０に当該映像信号に基づく映像が表示されるようにする。
【０１０９】
信号処理部９２０が行う映像処理プロセスの種類は限定されず、例えは、映像データの映像フォーマットに対応するデコーディング（ｄｅｃｏｄｉｎｇ）、インターレース（ｉｎｔｅｒｌａｃｅ）方式の映像データをプログレッシブ（ｐｒｏｇｒｅｓｓｉｖｅ）方式に変換するデインターレーシング（ｄｅ-ｉｎｔｅｒｌａｃｉｎｇ）、映像データを既に設定された解像度に調整するスケーリング（ｓｃａｌｉｎｇ）、映像画質改善のためのノイズ減少（ｎｏｉｓｅ  ｒｅｄｕｃｔｉｏｎ）、ディテール強化（ｄｅｔａｉｌ  ｅｎｈａｎｃｅｍｅｎｔ）、フレームリフレッシュレート（ｆｒａｍｅ  ｒｅｆｒｅｓｈ  ｒａｔｅ）変換などが挙げられる。
【０１１０】
信号処理部９２０は、このような種々の機能を統合したＳＯＣ（ｓｙｓｔｅｍ−ｏｎ−ｃｈｉｐ）、またはこれらの各プロセスを独自で行える個別の構成がプリント回路基板上に装着されてなる映像処理ボード（図示せず）とし、ディスプレイ装置９００内に組み込むことができる。
【０１１１】
パネル駆動部９３０、ディスプレイパネル９４０、バックライトユニット９５０は、第１の実施例と実質的に同じ構成を有するので、パネル駆動部９３０、ディスプレイパネル９４０、バックライトユニット９５０についての詳細な説明は省略する。以上の実施例は例示に過ぎず、当該技術の分野における通常の知識を有する者には、様々な変形及び均等な他の実施例が可能である。従って、本発明の真の技術的保護範囲は、添付の特許請求の範囲に記載された発明の技術的思想により定められるべきであろう。
【符号の説明】
【０１１２】
１００，３００  ディスプレイパネル
１１０，３１０  上部基板
１２０，３２０  下部基板
１３０，３３０  液晶層
１４０，３５０  カラーフィルター層
１５０，１６０  偏光フィルム
１５１，１６１  偏光層
１５３，１６３  ＴＡＣフィルム
１７０，３９０  反射抑制フィルム
１８０，４００  位相差補償層
３６０  下部偏光層
３７０  上部偏光層
３８０  保護フィルム
【図１】
2013214070.tif 000003
【図２】
2013214070.tif 000004
【図３】
2013214070.tif 000005
【図４】
2013214070.tif 000006
【図５】
2013214070.tif 000007
【図６】
2013214070.tif 000008
【図７】
2013214070.tif 000009
【図８】
2013214070.tif 000010
【図９】
2013214070.tif 000011